(57)【特許請求の範囲】
【請求項１】
枕ケースの上面生地と下面生地の間で、枕ケースの長尺方向と直交する方向に、上方に向かって開くよう傾斜した一対の縦仕切壁を設けるとともに、該一対の縦仕切壁間に該縦仕切壁と直交する方向に、一方向に傾斜する横仕切壁を設けることにより、枕ケース内に複数の室を形成し、該室に芯材を充填したことを特徴とする枕。
【発明の詳細な説明】
【技術分野】
【０００１】
本発明は、枕ケース内部に傾斜仕切壁を有する枕に関するものであり、主として枕ケース内部の複数の室に異なる素材の芯材を充填した立体縫製枕を主眼に開発されたものである。
【背景技術】
【０００２】
枕ケース内に充填される羽毛、絹綿、パイプチップ、檜チップ、クッション材、及びこれらが袋詰めされたユニット等の芯材が枕の使用により枕ケース内で自由に動いてしまうことを防止するために枕ケース内部を複数の室に区分する枕が存在する。
【０００３】
これには上面生地と下面生地をミシン等で直接縫いつけて複数の室を形成するものと、特許文献１に示されるように、隔壁を上面生地と下面生地の対向位置に設けることにより複数の室を形成するものとが存在する。
【０００４】
上面生地と下面生地を縫いつけたものは、糸で縫った部分にくぼみができ、このくぼみが顔や頭に当たると違和感を感じるという不具合がある。また、特許文献１に示すように、隔壁により複数の室を区分したものにあっても、隔壁が上面生地及び下面生地に対してほぼ直角に位置するため、異なる複数の芯材を用いている場合などには頭をのせたときに段差ができたりして、合わせ目を感じてしまう不具合があった。さらに、複数の室に芯材としてユニットを用いた場合などには各ユニット芯材同志がずれてしまう不具合があった。
【０００５】
【特許文献１】特開２００３−１８０４９９号公報
【発明の開示】
【発明が解決しようとする課題】
【０００６】
本発明は前記不具合を解決し、次の目的を達成しようとする。
第１に、区分された室内の芯材による段差を生じさせず、使用者が合わせ目を感じることのない枕とする。
第２に、複数の芯材の重なりにより、単一芯材では醸し出すことができない枕の使用感を味わうことを可能とする。
第３に、頭部の荷重が枕に掛かることにより、中間の区分室内の芯材の隣接部分が両側の区分室内の芯材の隣接部分の上部に位置し、下部に位置した芯材を押圧するためユニット芯材の場合にも芯材同志がしっかり固定される枕とする。
【課題を解決するための手段】
【０００９】
上記課題を解決するため、請求項１記載の発明は、  枕ケースの上面生地と下面生地の間で、枕ケースの長尺方向と直交する方向に、上方に向かって開くよう傾斜した一対の縦仕切壁を設けるとともに、該一対の縦仕切壁間に該縦仕切壁と直交する方向に、一方向に傾斜する横仕切壁を設けることにより、枕ケース内に複数の室を形成し、該室に芯材を充填したことを特徴とする枕を提供する。
【発明の効果】
【００１０】
請求項１記載の発明は、仕切壁が傾斜したものであるため、隣接する芯材の一方の隣接部分が、他方の芯材の隣接部分と重なり合い、区分された室内の芯材による段差を生じさせず、使用者が合わせ目を感じることのない枕となった。また、複数の芯材の重なりにより、単一芯材では醸し出すことができない枕の使用感を味わうことも可能となった。更に、頭部の荷重が枕に掛かることにより、上方に向かって開かれた仕切壁によって区分された中間の室内の芯材は、図５に示されるようにへこみ、この芯材の隣接部分は、前後、又は左右の区分された室内の芯材の隣接部分の上部に位置し、下部に位置した芯材を押圧するためユニット芯材の場合にもユニット芯材同志がしっかり固定され、ずれるおそれがなくなった。
【００１１】
また、請求項１記載の枕とすることにより、上記効果を有すると共に、区分された室の芯材素材を異ならせて、種々の感触を味わえる実用的な枕となる。
【発明を実施するための最良の形態】
【００１２】
以下、図面に従って、実施例と共に本発明を実施するための最良の形態について説明する。図９は、一実施例に係る立体縫製枕の外観を示す全体斜視図であり、図３乃至図８に示されるように枕ケース１と、枕ケース１内に充填される芯材とでなる。
【００１３】
芯材は、図７及び図８に符号２４乃至２７として示されるチップ芯材と図３乃至図６に符号２０乃至２３として示されるようなユニット芯材とがある。チップ芯材２４，２５，２６，２７には枕ケース１内に充填されるに適した素材である羽毛、絹綿、樹脂チップ、檜等の木材チップ、クッション材、そば殻、茶葉等が用いられる。他方、ユニット芯材２０，２１，２２，２３は、羽毛、絹綿、樹脂チップ、檜等の木材チップ、クッション材、そば殻、茶葉等のチップが一定の大きさの袋に詰められたものである。なお、ユニット芯材は充填される区分室の形状に適合した形状を有している。図６に示されるような完全に合致したユニット芯材２１，２２，２３が好ましいが、図３及び図４に示されるように、ほぼ合致するものであれば十分である。
【００１４】
枕ケース１は、実施例では布製の立体縫製のもので、上面生地３、下面生地４、前面生地５、背面生地６、側面生地７、８及び枕ケース１の内側に縫合される仕切壁９、１０、１１からなる。なお、図９乃至図１１の前面生地５及び背面生地６に設けられたファスナ２は、チップ芯材又はユニット芯材を枕ケース１内に区切られた室の内部への出し入れ口を形成するためのものである。該出し入れ口よりユニット芯材２０，２１，２２，２３またはチップ芯材２４，２５，２６，２７が充填されている。
【００１５】
図１乃至図１１に示す実施例での仕切壁には、縦方向、すなわち、枕ケース１の長尺方向（横方向）と直交する方向に設けられた左縦仕切壁９と右縦仕切壁１０と、左縦仕切壁９と右縦仕切壁１０との間に横方向に設けられた中央横仕切壁１１が存在し、枕ケース１の内部を５室に区分している。
【００１６】
但し、本発明においては、図１２及び図１３に示すように、中央横仕切壁１１を設けず、枕ケース１の長尺方向（横方向）と直交する方向に設けられた左縦仕切壁９と右縦仕切壁１０との２枚の仕切壁により、３室に区分されたものも含まれるし、さらに、図１４及び図１５に示すように、枕ケース１の長尺方向（横方向）と平行する方向に設けられた前面横仕切壁３０と背面横仕切壁３１との２枚の横仕切壁により、３室に区分されたものも含まれる。
【００１７】
左縦仕切壁９と右縦仕切壁１０とは、上方（上面生地３方向）に向かって開くよう傾斜した一対の仕切であり、各々の上端辺を上面生地３に縫合し、各々の下端辺を下面生地４に縫合してある。該仕切壁９，１０は縫合の他、接着剤等による接合等により取り付けたものであってもよい。なお、両仕切壁９，１０の前面生地５及び背面生地６側は、縫合又は接合されていなくてもよい。
【００１８】
左縦仕切壁９と右縦仕切壁１０は、各々外側に向かって４５度の傾斜角で設けられている。すなわち、両仕切壁９，１０の斜度は４５度である。この傾斜角は４５度が好ましいが、芯材の素材の特性に合わせて、３０度より６０度の範囲内であっても良い。
【００１９】
左縦仕切壁９と右縦仕切壁１０との間には、両縦仕切壁９，１０と直交する方向で、背面側より前面側（利用時に首側となる側）に向かって傾斜する中央横仕切壁１１が設けられている。この中央横仕切壁１１の傾斜角も４５度であることが好ましい。
【図面の簡単な説明】
【００２０】
【図１】一実施例にかかる枕ケースの全体透視斜視図
【図２】同透視平面図
【図３】枕のＡ−Ａ線位置の断面図
【図４】枕のＢ−Ｂ線位置の断面図
【図５】中央部に圧力がかかった場合の枕のＡ−Ａ線位置の断面図
【図６】ユニット芯材形状の他実施例を示す枕のＡ−Ａ線位置の断面図
【図７】芯材としてチップ芯材を用いた場合の枕のＡ−Ａ線位置の断面図
【図８】同枕のＢ−Ｂ線位置の断面図
【図９】本発明にかかる枕の外観斜視図
【図１０】同背面図
【図１１】同正面図
【図１２】仕切壁の第２実施例を示す平面図
【図１３】同正面図
【図１４】仕切壁の第３実施例を示す平面図
【図１５】同右側面図
【符号の説明】
【００２１】
１．．．．．．．．．枕カバー
２．．．．．．．．．ファスナ
３．．．．．．．．．上面生地
４．．．．．．．．．下面生地
５．．．．．．．．．前面生地
６．．．．．．．．．背面生地
７．．．．．．．．．左側面生地
８．．．．．．．．．右側面生地
９．．．．．．．．．左縦仕切壁
１０．．．．．．．．右縦仕切壁
１１．．．．．．．．中央横仕切壁
２０．．．．．．．．中央前側ユニット芯材
２１．．．．．．．．左側ユニット芯材
２２．．．．．．．．中央奥側ユニット芯材
２３．．．．．．．．右側ユニット芯材
２４．．．．．．．．中央前側チップ芯材
２５．．．．．．．．中央奥側チップ芯材
２６．．．．．．．．左側チップ芯材
２７．．．．．．．．右側チップ芯材
３０．．．．．．．．前面横仕切壁
３１．．．．．．．．背面横仕切壁
【図１】
0004636402.tif 000002
【図２】
0004636402.tif 000003
【図３】
0004636402.tif 000004
【図４】
0004636402.tif 000005
【図５】
0004636402.tif 000006
【図６】
0004636402.tif 000007
【図７】
0004636402.tif 000008
【図８】
0004636402.tif 000009
【図９】
0004636402.tif 000010
【図１０】
0004636402.tif 000011
【図１１】
0004636402.tif 000012
【図１２】
0004636402.tif 000013
【図１３】
0004636402.tif 000014
【図１４】
0004636402.tif 000015
【図１５】
0004636402.tif 000016